(57)【特許請求の範囲】
【請求項１】
少なくとも一部の領域が透液性を有する内装材と、不透液性を有する外装材と、前記内装材と前記外装材との間に挟み込まれた吸収部材とを備えた男性用尿吸収物品であって、
前記男性用吸収物品の長手方向の中心から一方側にずれた位置に設けられ、前記男性用尿吸収物品の折り畳み位置を規定する折り畳み部と、
前記男性用尿吸収物品の前記折り畳み部から前記長手方向の前記一方側の部分からなり、着用者の肌面側に配置される短尺部と、
前記男性用尿吸収物品の前記折り畳み部から前記長手方向の他方側の部分からなり、前記短尺部に対して外面側に配置される長尺部と、
重ね合わされた前記短尺部及び前記長尺部における前記長手方向と直交する幅方向の両側の縁部同士を、前記長手方向に沿って接合するサイド接合部と、
を備え、
前記サイド接合部によって前記幅方向の縁部同士が接合された前記短尺部と前記長尺部の前記短尺部と対向する部分とによって、着用者の陰茎が挿入される略袋状の袋部が形成され、
前記長尺部における前記袋部から前記長手方向に張り出している部分は、この男性用尿吸収物品の着用時に着用者の股下部を前側から後側に通され、
前記吸収部材は、
前記幅方向に間隔をあけ、前記長手方向に沿って配置された長尺状の複数の吸収コアを備えることを特徴とする男性用尿吸収物品。
【請求項２】
請求項１に記載の男性用尿吸収物品において、
前記内装材は、
前記長尺部及び前記短尺部の前記長手方向に沿った全区間のうち、前記長尺部における前記袋部から前記長手方向に張り出している区間の少なくとも一部において、前記幅方向の両側に前記長手方向に沿って設けられ、前記幅方向の内方側が自由端部となっている左右一対の帯状シート材と、
前記帯状シート材の前記自由端部又はその近傍に前記長手方向に沿って伸張された状態で付与され、その収縮力により前記帯状シート材の前記自由端部を起立させる弾性部材と、
を備えることを特徴とする男性用尿吸収物品。
【請求項３】
請求項１又は請求項２に記載の男性用尿吸収物品において、
前記サイド接合部にて、前記短尺部及び前記長尺部における前記幅方向の両側の縁部同士が溶着されていることを特徴とする男性用尿吸収物品。
【請求項４】
請求項１ないし請求項３のいずれかに記載の男性用尿吸収物品において、
前記内装材と前記吸収部材との間に配置され、尿を吸収する吸収シートをさらに備え、
前記吸収シートは、２枚の透液性シート材、及びその２枚の透液性シート材の間に挟み込まれた高分子吸収体を備えることを特徴とする男性用尿吸収物品。
【請求項５】
請求項１ないし請求項４のいずれかに記載の男性用尿吸収物品において、
前記短尺部は、前記長手方向について前記折り畳み部と反対側において、前記幅方向に沿って略直線状に連なる縁部を備えることを特徴とする男性用尿吸収物品。
【請求項６】
請求項１ないし請求項５のいずれかに記載の男性用尿吸収物品において、
前記外装材は、
前記吸収部材に面して配置される樹脂フィルムと、
前記樹脂フィルムの外面に貼り合わされた不織布と、
を備えることを特徴とする男性用尿吸収物品。
【発明の詳細な説明】
【技術分野】
【０００１】
本発明は、男性用尿吸収物品に関する。
【背景技術】
【０００２】
従来の男性用尿吸収物品としては、特許文献１に記載のものがある。この特許文献１に記載の男性用尿吸収物品では、内装材と外装材との間に吸収部材を挟み込んでなる男性用尿吸収物品をその長手方向の中央部で二つ折りにし、互いに対向する左右両側の縁部を接着テープで接着することにより、略袋状の形態が得られる。着用時には、その袋状の形態の男性用尿吸収物品の内部に開口部から陰茎が挿入され、その男性用尿吸収物品の上からおむつ等が装着される（例えば、図５〜図９参照）。なお、他の従来技術としては、例えば特許文献２，３に記載のものがある。
【特許文献１】実用新案登録第３０８７７５０号公報
【特許文献２】特開２００７−８９７７８号公報
【特許文献３】特開２００７−８９７７９号公報
【発明の開示】
【発明が解決しようとする課題】
【０００３】
しかしながら、上述の特許文献１に記載の男性用尿吸収物品では、着用時に主に着用者の前側に配置される構成であり、例えば、男性用尿吸収物品の一部を着用者の股下部を前側から後側に通すような構成になっていない。このため、使用時に男性用尿吸収物品の位置ずれ、及び、男性用尿吸収物品からの陰茎の抜け等が生じやすい。また、股下部での尿漏れも生じやすい。
【０００４】
また、上述の特許文献１では、使用時に介護者が男性用尿吸収物品を２箇所で折り畳んで接着テープで接着して略袋状の形態を作る作業が必要であり、装着作業に手間がかかり、介護者の負担が大きい。
【０００５】
そこで、本発明の解決すべき課題は、簡単かつ迅速に装着でき、男性用尿吸収物品の位置ずれ及び挿入された陰茎の抜けを有効に防止できるとともに、股下部での尿漏れを有効に防止できる男性用尿吸収物品を提供することである。
【課題を解決するための手段】
【０００６】
上記の課題を解決するため、請求項１の発明では、少なくとも一部の領域が透液性を有する内装材と、不透液性を有する外装材と、前記内装材と前記外装材との間に挟み込まれた吸収部材とを備えた男性用尿吸収物品であって、前記男性用吸収物品の長手方向の中心から一方側にずれた位置に設けられ、前記男性用尿吸収物品の折り畳み位置を規定する折り畳み部と、前記男性用尿吸収物品の前記折り畳み部から前記長手方向の前記一方側の部分からなり、着用者の肌面側に配置される短尺部と、前記男性用尿吸収物品の前記折り畳み部から前記長手方向の他方側の部分からなり、前記短尺部に対して外面側に配置される長尺部と、重ね合わされた前記短尺部及び前記長尺部における前記長手方向と直交する幅方向の両側の縁部同士を、前記長手方向に沿って接合するサイド接合部とを備え、前記サイド接合部によって前記幅方向の縁部同士が接合された前記短尺部と前記長尺部の前記短尺部と対向する部分とによって、着用者の陰茎が挿入される略袋状の袋部が形成され、前記長尺部における前記袋部から前記長手方向に張り出している部分は、この男性用尿吸収物品の着用時に着用者の股下部を前側から後側に通され、前記吸収部材は、前記幅方向に間隔をあけ、前記長手方向に沿って配置された長尺状の複数の吸収コアを備える。
【０００７】
また、請求項２の発明では、請求項１の発明に係る男性用尿吸収物品において、前記内装材は、前記長尺部及び前記短尺部の前記長手方向に沿った全区間のうち、前記長尺部における前記袋部から前記長手方向に張り出している区間の少なくとも一部において、前記幅方向の両側に前記長手方向に沿って設けられ、前記幅方向の内方側が自由端部となっている左右一対の帯状シート材と、前記帯状シート材の前記自由端部又はその近傍に前記長手方向に沿って伸張された状態で付与され、その収縮力により前記帯状シート材の前記自由端部を起立させる弾性部材とを備える。
【０００８】
また、請求項３の発明では、請求項１又は請求項２の発明に係る男性用尿吸収物品において、前記サイド接合部にて、前記短尺部及び前記長尺部における前記幅方向の両側の縁部同士が溶着されている。
【００１０】
また、請求項４の発明では、請求項１ないし請求項３のいずれかの発明に係る男性用尿吸収物品において、前記内装材と前記吸収部材との間に配置され、尿を吸収する吸収シートをさらに備え、前記吸収シートは、２枚の透液性シート材、及びその２枚の透液性シート材の間に挟み込まれた高分子吸収体を備える。
【００１１】
また、請求項５の発明では、請求項１ないし請求項４のいずれかの発明に係る男性用尿吸収物品において、前記短尺部は、前記長手方向について前記折り畳み部と反対側において、前記幅方向に沿って略直線状に連なる縁部を備える。
【００１２】
また、請求項６の発明では、請求項１ないし請求項５のいずれかの発明に係る男性用尿吸収物品において、前記外装材は、前記吸収部材に面して配置される樹脂フィルムと、前記樹脂フィルムの外面に貼り合わされた不織布とを備える。
【発明の効果】
【００１３】
請求項１に記載の発明によれば、男性用尿吸収物品の長尺部における袋部から長手方向に張り出している部分が、男性用尿吸収物品の着用時に着用者の股下部を前側から後側に通されるため、着用状態における男性用尿吸収物品の位置ずれ、及び袋部に挿入された陰茎の抜けを有効に防止できる。
【００１４】
また、予めサイド接合部によって男性用尿吸収物品の幅方向の両側の縁部が接合されて袋部が形成されているため、着用時に男性用尿吸収物品の両側の縁部の接合作業を行う必要がなく、簡単かつ迅速に装着できる。
【００１５】
また、男性用尿吸収物品の袋部に着用者の陰茎が挿入されるため、着用者が横になっているときに（例えば、上向き又は横向きで横になっているときに）、尿が腹側から漏れるのを効果的に防止できる。
【００１６】
請求項２に記載の発明によれば、長尺部及び短尺部の長手方向に沿った全区間のうちの少なくとも長尺部における袋部から長手方向に張り出している区間の少なくとも一部に、左右一対の帯状シート材及び弾性部材により所謂立体サイドギャザーが設けられている。このため、この立体サイドギャザーにより、着用者の尿が股下部等にて男性用尿吸収物品の左右の縁部から漏れるのを有効に防止できる。
【００１７】
請求項３に記載の発明によれば、男性用尿吸収物品の短尺部及び長尺部における幅方向の両側の縁部同士がサイド接合部にて溶着されているため、短尺部と長尺部とを隙間無く接合でき、袋部からサイド接合部を介して尿がしみ出すのを確実に防止できる。
【００１８】
請求項１に記載の発明によれば、吸収部材が、幅方向に間隔をあけ、長手方向に沿って配置された長尺状の複数の吸収コアを備えているため、男性用尿吸収物品の肌面側表面から導入された尿を、各吸収コアにその肌面側表面から吸収させるとともに、吸収コア間の隙間部により尿を迅速に拡散させつつ広い範囲の吸収コアを利用して迅速に吸収させることができる。その結果、尿を迅速に吸収して尿漏れが生じるのを有効に防止できる。また、複数の吸収コアが幅方向に間隔をあけて配置されているため、吸収コアが尿を吸収して膨張した場合にも、吸収コア同士が密着して吸収コア間の隙間を介した尿の拡散が阻害されることがない。
【００１９】
また、吸収部材が、幅方向に間隔をあけ、長手方向に沿って配置された長尺状の複数の吸収コアにより構成されているため、吸収部材の柔軟性が向上し、これによって、男性用尿吸収物品を着用者の股間に柔軟にフィットさせることができる。
【００２０】
請求項４に記載の発明によれば、高分子吸収体を備えた吸収シートが内装材と吸収部材との間に配置されるため、尿の拡散性が向上するとともに、尿の吸収容量を高めることができる。
【００２１】
また、この吸収シートは水分を一旦吸収すると逃がさないため、吸収シートを吸収部材と内装材との間に配置することにより、吸収部材及び吸収シートにより一旦吸収された尿が内装材を介して男性用尿吸収物品の肌面側に戻るのを防止できる。
【００２２】
請求項５に記載の発明によれば、袋部の開口部を形成する短尺部の縁部が幅方向に沿って略直線状に連なっているため、男性用尿吸収物品が着用されたときに袋部から着用者の陰茎が抜けにくい。
【００２３】
請求項６に記載の発明によれば、外装材の外面側に不織布が配置されているため、男性用尿吸収物品の肌触りがよくなる。
【発明を実施するための最良の形態】
【００２４】
図１は本発明の一実施形態に係る男性用尿吸収物品の肌面側から見た平面図であり、図２は図１のＡ−Ａ線に沿った断面図であり、図３は図１の男性用尿吸収物品のサイド接合部での接合が行われる前の状態を示す平面図である。
【００２５】
まず本実施形態に係る男性用尿吸収物品１を構成する部材について説明する。図１ないし図３に示すように、この男性用尿吸収物品１は、少なくとも一部の領域が透液性を有する内装材２と、不透液性を有する外装材３と、内装材２と外装材３との間に挟み込まれた吸収部材４と、内装材２と吸収部材４との間に配置され、尿を吸収する吸収シート５を備えている。このような男性用尿吸収物品１は、後述するサイド接合部３４，３５が接合される前は、シート状の形態を有するとともに、図３に示すように着用者の前後方向に対応する方向に延びた長尺状の形状を有している。なお、吸収シート５については、必須のものではなく、吸収部材４のみで十分な尿の吸収容量が確保できる場合には省略してもよい。
【００２６】
内装材２は、トップシート１１と、帯状シート材としての左右一対のサイドシート１２，１３とを備えている。トップシート１１は、透液性のシート材料を用いて形成される。そのシート材料としては、例えば、親水性繊維（セルロース、レーヨン、コットン等）を用いた不織布材料、あるいは疎水性繊維（ポリプロピレン、ポリエチレン、ポリエステル、ポリアミド、ナイロン（商標）等）の表面を界面活性剤により処理して透水性とした不織布材料、あるいは透孔を有するプラスチックフィルムなど、通常使い捨ておむつに使用される透液性のシート材料が用いられる。
【００２７】
サイドシート１２，１３は、所謂立体サイドギャザーを形成するための部材であり、トップシート１１の肌面側における幅方向Ｘの両側に長手方向Ｙに沿って接合されている。本実施形態では、このサイドシート１２，１３を男性用尿吸収物品１の長手方向Ｙに沿った全区間Ｌにおいて設けるようにしたが、その全区間Ｌのうち、後述する長尺部３３における袋部３６から長手方向Ｙに張り出している区間Ｌａの少なくとも一部に設けてもよい。
【００２８】
このようなサイドシート１２，１３は、その幅方向Ｘの内方側の部分がトップシート１１から離反するように起立可能な自由端部１２ａ，１３ａとなっている。そのサイドシート１２，１３の自由端部１２ａ，１３ａ又はその近傍には、長手方向Ｙに沿って伸張された状態で起立用の弾性部材１４〜１７が付与されている。そして、この弾性部材１４〜１７の収縮力により、サイドシート１２，１３の自由端部１２ａ，１３ａがトップシート１１から離反するように起立する。これによって、着用者の尿が股下部等にて男性用尿吸収物品１の左右の縁部から漏れるのが有効に防止される。
【００２９】
サイドシート１２，１３は、例えば不透液性のシート材料が用いられる。そのシート材料としては、例えば撥水性不織布材料（スパンボンド不織布、メルトブロー不織布、ＳＭＳ不織布等）が用いられる。また、弾性部材１４〜１７には、一般に使い捨ておむつに使用される弾性伸縮材料（ポリウレタン糸、ポリウレタンフィルム、天然ゴム等）が用いられる。
【００３０】
外装材３は、吸収部材４等で吸収された尿が外側にしみ出すのを防ぐため、撥水性のシート材料又は液不透過性のシート材料を用いて形成される。例えば、通常使い捨ておむつに使用される撥水性不織布材料（スパンボンド不織布、メルトブロー不織布、ＳＭＳ不織布等）、あるいはプラスチックフィルム（通気性のものでも、非通気性のものでもよいが、より快適な態様としては通気性プラスチックフィルムが望ましい）、あるいはそれらを貼り合わせたものが用いられる。本実施形態では、外装材３は、通気性プラスチックフィルムと、その通気性プラスチックフィルムの外面側に貼り合わされた不織布（例えば撥水性不織布）によって構成されている。
【００３１】
吸収部材４は、幅方向Ｘに間隔をあけ、長手方向Ｙに沿って配置された長尺状の複数の吸収コア２１，２２を備えている。本実施形態では、左右一対の吸収コア２１，２２が用いられている。各吸収コア２１，２２は、粉砕したパルプ繊維、セルロース繊維又はそれらの混合物などからなる親水性繊維集合層に、粒状の高分子吸収体を混合してなる塊と、その塊を包む透液性の被覆シート（例えば、ティッシュペーパーなどの紙シート、又は透液性不織布シートなど）を備えて構成されている。
【００３２】
吸収シート５は、図４に示すように、２枚の透液性シート材２３，２４、及びその２枚の透液性シート材２３，２４の間に挟み込まれた高分子吸収体２５を備えて構成され、薄いシート状の形態を有している。２枚のシート材２３，２４の内面側には、接合用のホットメルト接着剤２６，２７が付与されている。また、吸収シート５の複数の接合部２８では、溶着（加熱溶着又は超音波溶着）による接合が行われている。なお、透液性シート材２３，２４としては、例えばティッシュペーパー又は透液性不織布（エアスルー不織布又はスパンレース不織布等）が用いられる。
【００３３】
次に、完成品であるサイド接合部３４，３５が接合された男性用尿吸収物品１の構成について説明する。
【００３４】
男性用尿吸収物品１は、折り畳み部３１と、短尺部３２と、長尺部３３と、サイド接合部３４，３５を備えている。折り畳み部３１は、この男性用尿吸収物品１の長手方向Ｙの中心から一方側にずれた位置に設けられ、男性用尿吸収物品の折り畳み位置を規定する。短尺部３２は、男性用尿吸収物品１の折り畳み部３１から長手方向Ｙの一方側に位置する部分からなり、折り畳み部３１で矢印Ｂで示すように折り返されて着用者の肌面側に配置される。長尺部３３は、男性用尿吸収物品１の折り畳み部３１から長手方向Ｙの他方側に位置する部分からなり、短尺部３２に対して外面側に配置される。
【００３５】
そして、折り畳み部３１にて二つ折りにされて重ね合わされた短尺部３２及び長尺部３３における幅方向Ｘの両側の縁部同士が溶着（加熱溶着又は超音波溶着）により接合されている。この接合部をサイド接合部３４，３５と称する。
【００３６】
このようにサイド接合部３４，３５によって左右両側の縁部同士が接合された短尺部３２と、長尺部３３の短尺部３２と対向する部分（袋形成部３３ａ）とによって、着用者の陰茎が挿入される略袋状の袋部３６が形成される。
【００３７】
また、長尺部３３における袋部３６から長手方向Ｙに張り出している部分（張出部３３ｂ）は、この男性用尿吸収物品１の着用時に着用者の股下部を前側から後側に通されるようになっている。このためこの張出部３３ｂの長手方向Ｙの張出寸法は、張出部３３ｂを着用者の股下部を通すのに十分な値に設定されている。
【００３８】
また、短尺部３２の長手方向Ｙについて折り畳み部３１と反対側の縁部３２ａは、幅方向Ｘに沿って略直線状に連なっている。
【００３９】
次に図５及び図６を参照して、この男性用尿吸収物品１の着用者への装着方法について説明する。まず、この男性用尿吸収物品１の袋部３６の開口部３６ａを開き、図５の矢印Ｃで示すように、着用者の陰茎を袋部３６内に上向きに挿入する。続いて、長尺部３３の張出部３３ｂを着用者の股下部に前側から後側へ通す。これによって、例えば張出部３３ｂの長手方向Ｙにおける区間Ｌｃが着用者の左右の脚によって挟み込まれる。続いて、図６に示すように、男性用尿吸収物品１の上から使い捨ておむつ（又はパンツ型の使い捨て吸収物品）４１が装着される。
【００４０】
以上のように、本実施形態によれば、男性用尿吸収物品１の長尺部３３における袋部３６から長手方向Ｙに張り出している張出部３３ｂが、男性用尿吸収物品１の着用時に着用者の股下部を前側から後側に通されて股下部に挟み込まれる。このため、着用状態における男性用尿吸収物品１の位置ずれ、及び袋部３６に挿入された陰茎の抜けを有効に防止できる。
【００４１】
また、予めサイド接合部３４，３５によって男性用尿吸収物品１の幅方向Ｘの両側の縁部が接合されて袋部３６が形成されているため、着用時に男性用尿吸収物品１の両側の縁部の接合作業を行う必要がなく、簡単かつ迅速に装着できる。
【００４２】
また、男性用尿吸収物品１の袋部３６に着用者の陰茎が挿入されるため、着用者が横になっているときに（例えば、上向き又は横向きで横になっているときに）、尿が腹側から漏れるのを効果的に防止できる。
【００４３】
また、長尺部３３及び短尺部３２の長手方向Ｙに沿った全区間Ｌのうちの少なくとも長尺部３３における袋部３６から長手方向Ｙに張り出している区間Ｌａ（張出部３３ｂ）の少なくとも一部（本実施形態では張出部３３ｂのほぼ全長）に、サイドシート１２，１３及び弾性部材１４〜１７により立体サイドギャザーが設けられている。このため、この立体サイドギャザーにより、着用者の尿が股下部等にて男性用尿吸収物品１の左右の縁部から漏れるのを有効に防止できる。さらに、本実施形態では、袋部３６を構成する短尺部３２及び長尺部３３の袋形成部３３ａにも立体サイドギャザーが設けられているため、より高い尿漏れ防止機能が得られている。
【００４４】
また、男性用尿吸収物品１の短尺部３２及び長尺部３３における幅方向Ｘの両側の縁部同士がサイド接合部３４，３５にて溶着（加熱溶着又は超音波溶着）されているため、短尺部３２と長尺部３３とを隙間無く接合でき、袋部３６からサイド接合部３４，３５を介して尿がしみ出すのを確実に防止できる。
【００４５】
また、吸収部材４として、幅方向Ｘに間隔をあけて配置された複数（例えば、２つ）の吸収コア２１，２２を備えているため、男性用尿吸収物品１のトップシート１１を介して導入された尿を、各吸収コア２１，２２にその肌面側表面から吸収させるとともに、吸収コア２１，２２間の隙間部２０により尿を長手方向Ｙに迅速に拡散させつつ広い範囲の吸収コア２１，２２を利用して迅速に吸収させることができる。その結果、尿を迅速に吸収して尿漏れが生じるのを有効に防止できる。また、吸収コア２１，２２が幅方向Ｘに間隔をあけて配置されているため、吸収コア２１，２２が尿を吸収して膨張した場合にも、吸収コア２１，２２同士が密着して吸収コア２１，２２間の隙間部２０を介した尿の拡散が阻害されることがない。
【００４６】
また、吸収部材４が、幅方向Ｘに間隔をあけ、長手方向Ｙに沿って配置された長尺状の複数の吸収コア２１，２２により構成されているため、吸収部材４の柔軟性が向上し、これによって、男性用尿吸収物品１を着用者の股間に柔軟にフィットさせることができる。
【００４７】
また、高分子吸収体２５を備えた吸収シート５が内装材２と吸収部材４との間に配置されるため、尿の拡散性が向上するとともに、尿の吸収容量を高めることができる。
【００４８】
また、この吸収シート５は水分を一旦吸収すると逃がさないため、吸収シート５を吸収部材４と内装材２との間に配置することにより、吸収部材４及び吸収シート５により一旦吸収された尿が内装材２を介して男性用尿吸収物品１の肌面側に戻るのを防止できる。
【００４９】
また、袋部３６の開口部３６ａを形成する短尺部３２の縁部３２ａが幅方向Ｘに沿って略直線状に連なっているため、男性用尿吸収物品１が着用されたときに袋部３６から着用者の陰茎が抜けにくい。
【００５０】
また、外装材３がプラスチックフィルムと不織布とが貼り合わされて構成され、不織布が外面側に配置されているため、男性用尿吸収物品１の肌触りがよくなる。
【図面の簡単な説明】
【００５１】
【図１】本発明の一実施形態に係る男性用尿吸収物品の肌面側から見た平面図である。
【図２】図１のＡ−Ａ線に沿った断面図である。
【図３】図１の男性用尿吸収物品のサイド接合部での接合が行われる前の状態を示す平面図である。
【図４】図１の男性用尿吸収物品に用いられる吸収シートの断面図である。
【図５】図１の男性用尿吸収物品を着用者に装着するときの状態を示す斜視図である。
【図６】図１の男性用尿吸収物品の使用形態を説明するための図である。
【符号の説明】
【００５２】
１  男性用尿吸収物品、２  内装材、３  外装材、４  吸収部材、５  吸収シート、１１  トップシート、１２，１３  サイドシート、１４〜１７  弾性部材、２０  隙間部、２１，２２  吸収コア、２３，２４  透液性シート材、２５  高分子吸収体、２６，２７  ホットメルト接着剤、２８  接合部、３１  折り畳み部、３２  短尺部、３２ａ  縁部、３３  長尺部、３３ａ  袋形成部、３３ｂ  張出部、３４，３５  サイド接合部、３６  袋部、３６ａ  開口部、４１  使い捨ておむつ。
【図１】
0004995652.tif 000002
【図２】
0004995652.tif 000003
【図３】
0004995652.tif 000004
【図４】
0004995652.tif 000005
【図５】
0004995652.tif 000006
【図６】
0004995652.tif 000007